(57)【要約】  本発明は、変形可能な家具に関し、より具体的には、椅子から机に、またその逆に机から椅子に変形可能な家具に関する。変形可能な家具は、ヒンジ継手（４）によって互いに連結された第１のプレート（５）と第２のプレート（６）とを含み、前記２枚のプレートは、それぞれ第１および第２の水平軸（２、３）を中心に回転でき、プレートは、それぞれ座面および背もたれとしての第１のポジションから、それぞれ前面パネル（１７）および作業台（１８）としての第２のポジションに、またその逆に動かすことができる。前記プレートは、前記第１および第２の水平軸によって、少なくとも３つの相互接続された折りたたみ要素（１、１′、１９）から構成される支持構造に連結される。
2009526592.tif 000002
【特許請求の範囲】
【請求項１】
ヒンジ継手（４）によって互いに連結された第１のプレート（５）と第２のプレート（６）とを含み、前記２枚のプレート（５）、（６）が、それぞれ第１および第２の水平軸（２）、（３）を中心に回転でき、プレート（５）、（６）が、それぞれ座面（１７）および背もたれ（１８）としての第１のポジションから、それぞれ前面パネル（１７）および作業台（１８）としての第２のポジションに、またその逆に動かすことができ、前記プレートが、前記第１および第２の水平軸（２）、（３）によって、少なくとも３つの相互接続された折りたたみ要素（１）、（１′）、（１９）から構成される支持構造に連結される、変形可能な家具。
【請求項２】
前記支持構造が、ヒンジ継手対（２０、２０′、２０′′、２０′′′、２０′′′′）および（２１、２１′、２１′′）によって互いに連結された、３つの相互接続された折りたたみ要素（１）、（１′）、（１９）から構成され、ヒンジ継手対（２０、２０′、２０′′、２０′′′、２０′′′′）、（２１、２１′、２１′′）の１つが、折りたたみ要素（１）、（１′）、（１９）の１つに対してスライドできる、請求項１記載の変形可能な家具。
【請求項３】
前記折りたたみ要素（１）、（１′）、（１９）が、フレームとして形成される、請求項２記載の変形可能な家具。
【請求項４】
前記折りたたみ要素（１）、（１′）、（１９）が、Ｕ字型の管状フレームとして形成され、２本の前記フレーム（１）、（１９）の中央部が、前記第１および第２の水平軸（２）、（３）を形成し、一方でこれらのフレームの脚が、前記スライドヒンジ継手（２０、２０′、２０′′、２０′′′）、（２１）によって接合される、請求項３記載の変形可能な家具。
【請求項５】
要素１の脚が接合されて、四角形の閉鎖したフレームを形成し、スライドヒンジ継手対（２０、２０′、２０′′、２０′′′）、（２１）にロッキング機構がある、請求項３記載の変形可能な家具。
【請求項６】
背もたれ（１８）または作業台（１８）として機能するプレートが、前記相互接続された折りたたみ要素（１）の１つに接合されて、前記要素が折りたたまれたとき、作業台（１８）が、その具体的なポジションに依存して、背もたれ（１８）としての実質的に曲げられた形状から、作業台（１８）としての実質的に平坦である形状に、またその逆に変形可能である、請求項１〜５のいずれか一項記載の変形可能な家具。
【請求項７】
前記第１の軸（２）が、細長い、好ましくは円筒形の、曲げられたセクション（２ａ）を備える要素の形状であって、水平面状に置かれ、可撓性の平面要素（１８）から作成された前記第１のプレートが、回転できるようにこのセクションに取り付けられ、作業台ポジションで、前記曲げられたセクション（２ａ）が３点支持として機能して作業台を平らに支持し、一方、背もたれポジションで、前記曲げられたセクションが、要素（２）の端部に触れる可撓性の平面要素（１８）を引っ張り、前記曲げられたセクションの形状に従って、可撓性要素（１８）が凹状形状を取るように形成する、請求項６記載の変形可能な家具。
【請求項８】
前記３つの相互接続された折りたたみ要素（１）、（１′）、（１９）の少なくとも２つを、対応する各ポジションに固定するためのロッキング装置をさらに含む、請求項１〜７のいずれか一項記載の変形可能な家具。
【請求項９】
前記軸（２）、（３）の少なくとも１つが、各プレートに取り付けられて、前記プレートの回転点ポジションを、前記軸に対してスライドさせて動かすことができ、前記ポジションを、別のロッキング装置を用いて固定することができる、請求項８記載の変形可能な家具。
【請求項１０】
ヒンジ継手（４）によって互いに連結された第１のプレート（５）と第２のプレート（６）とを含み、前記２枚のプレート（５）、（６）が、それぞれ第１および第２の水平軸（２）、（３）を中心に回転でき、プレート（５）、（６）が、それぞれ座面（１７）および背もたれ（１８）としての第１のポジションから、それぞれ前面パネル（１７）および作業台（１８）としての第２のポジションに動かすことができ、背もたれおよび作業台として機能する第１のプレートが、その具体的なポジションに依存して、背もたれとしての実質的に凹状の形状から、作業台としての実質的に平坦である形状に、またその逆に変形可能である、変形可能な家具。
【請求項１１】
前記第１の軸（２）が、細長い、好ましくは円筒形の、曲げられたセクション（２ａ）を備える要素の形状であって、水平面状に置かれ、可撓性の平面要素（１８）から作成された前記第１のプレートが、回転できるようにこのセクションに取り付けられ、作業台ポジションで、前記曲げられたセクション（２ａ）が３点支持として機能して作業台を平らに支持し、一方、背もたれポジションで、前記曲げられたセクションが、要素（２）の端部に触れる可撓性の平面要素（１８）を引っ張り、前記曲げられたセクションの形状に従って、可撓性要素（１８）が凹状形状を取るように形成する、請求項１０記載の変形可能な家具。
【請求項１２】
前記第１のプレートが、不均一な（不規則な）変形能力を有する、請求項１１記載の変形可能な家具。
【請求項１３】
継手対（２０、２０′、２０′′、２０′′′）が、回転および並進可能であり、一方で継手対（２０′′′′）が、回転のみ可能であり、かつ継手対（２１、２１′、２１′′）が回転または並進可能であり、またその逆であることを特徴とする、請求項２記載の変形可能な家具。
【請求項１４】
固定装置が、スロット、ロッキング要素およびばね、またはＴ字型のスリップブシュ、ペグ、ばねおよびボタンから構成されるロッキング機構であることを特徴とする、請求項８記載の変形可能な家具。
【請求項１５】
スロット対（７）が、フレーム（１）、（１′）、（１９）の一方の長手側に長手方向に形成され、スロットが、一方の端で円形の開口になっている一方で、反対の端では湾曲して、支持構造（１）、（１′）、（１９）の、非折りたたみ／各折りたたみポジションでのバヨネットロッキング／各アンロッキングを提供する円弧形状のカットアウトとして形成されることを特徴とする、請求項１３記載の変形可能な家具。
【請求項１６】
Ｔ字型のスリップブシュ対が、フレーム（１）、（１′）、（１９）の１つの長手側に配置されて、各フレーム（１）、（１′）、（１９）の長手側に沿って動き、ペグ、ばねおよびボタンとともに、支持構造（１）、（１′）、（１９）の、非折りたたみ／各折りたたみポジションでのロッキング／各アンロッキングを提供することができることを特徴とする、請求項１３記載の変形可能な家具。
【請求項１７】
ヒンジ継手（４）によって接続された座面（１７）および背もたれ（１８）を含み、前記座面（１７）および背もたれ（１８）が、第１の水平軸（２）および第２の水平軸（３）を中心にそれぞれ回転することができ、座面（１７）および背もたれ（１８）が、それぞれ座面（１７）および背もたれ（１８）としての第１のポジションから、それぞれ正面パネル（１７）および作業台（１８）としての第２のポジションに、またその逆に動かすことができ、前記座面（１７）および背もたれ（１８）が、前記第１および第２の水平軸（２）、（３）を用いて、少なくとも３つの相互接続された折りたたみ要素（１）、（１′）、（１９）から構成される支持構造に取り付けられ、折りたたみ要素の少なくとも２つが、結合要素（３０）を備えるヒンジ継手（１６′）、（１６′′）によって接続される、変形可能な家具。
【請求項１８】
結合要素（３０）がプレートであり、ヒンジ継手（１６′）、（１６′′）によって折りたたみ要素（１）、（１′）の上端に固定されることを特徴とする、請求項１７記載の変形可能な家具。
【請求項１９】
プレート（３０）が、それぞれのヒンジ継手（１６′′）を中心に１８０°まで回転できることを特徴とする、請求項１７記載の変形可能な家具。
【発明の詳細な説明】
【技術分野】
【０００１】
発明の分野
本発明は、変形可能な家具に関し、より具体的には、椅子から机に、またその逆に変形可能な家具に関する。変形可能な家具は、会議室、オフィス、研修室、住居、娯楽エリアの備品用途に供される。
【０００２】
最新技術
２００３年１月２３日付け国際特許出願第ＰＣＴ／ＩＢ０３／００１５８号、国際公開公報第ＷＯ２００４／０１９７３０  Ａ１号は、ヒンジ継手によって接続された２枚のプレートと、互いに平行に配置されて、フレーム間の囲まれた空間内に異なる高さで配置された２つの平行軸によって連結された２本の垂直なフレームで構成される支持構造とで構成される、変形可能な家具を開示している。２枚のプレートは、フレーム間の空間内に配置され、各プレートは、プレートが互いに対して同時であり、かつフレームを接続する軸に対して、“椅子”ポジションから“テーブル”ポジションに動くことを確実にするような方法で、第１および第２の軸を用いてフレームに接続される。家具を“椅子”ポジションから“テーブル”ポジションに変形させる場合、第１のプレートは、それぞれ座面／作業台の、また第２のプレートは、それぞれ背もたれ／前面パネルの機能を果たす。
【０００３】
ブルガリア意匠登録第５１４０号の２００４年６月３０日付公開第６号公報には、ヒンジ継手によって接続された第１および第２のプレートと、２つの水平な平行軸によって連結される２つの垂直な平行要素で構成される支持構造とを含む、変形可能な家具が明らかにされている。平面要素は、各プレートに取り付けられて、それぞれ座面／背もたれとして機能する。プレートは、支持構造の第１および第２の水平軸を用いて支持構造に接続され、各軸を中心に回転することができ、座面および背もたれである第１のポジションと、前面パネルおよび作業台である第２のポジションとの間で、またその逆に動くことが可能である。
【０００４】
ブルガリア意匠登録第５１４１号の２００４年６月３０日付公開第６号公報には、ヒンジ継手によって接続された第１および第２のプレートと、ヒンジ継手によって接続された２つの閉鎖したフレームで構成される支持構造とを含む、折りたたみ変形可能な家具が明らかにされている。平面要素は、各プレートに取り付けられて、それぞれ座面／背もたれとして機能する。プレートは、支持構造の第１および第２の水平軸を用いて連結される。軸は、２つの閉鎖したフレームそれぞれの上部である。プレートは、平面要素とともに、支持構造の各軸を中心に回転することができ、座面および背もたれである第１のポジションと、前面パネルおよび作業台である第２のポジションとの間で動くことが可能である。
【０００５】
２００５年４月３０日付公報第４号に公開の、２００３年８月８日付ブルガリア特許出願第１０８０８０号は、ヒンジ継手によって接続された２枚のプレートと、ヒンジ継手によって接続された２つのフレームで構成される折りたたみ支持構造とを含む、折りたたみ変形可能な家具を開示しており、２枚のプレートは、フレーム間の空間内に配置され、プレートはそれぞれ、２つのフレームのうち１つに取り付けられる。この出願は、家具構造の安定性を全体として改善するであろう折りたたみ支持構造の信頼性のある固定およびロッキング、それぞれのアンロッキングを提供する解決策を提案していない。
【０００６】
２００４年８月２３日付公報第１０／２００４号に公開の、２００３年２月２０日付ドイツ特許出願第１０２２７４０号は、ヒンジ継手によって接続された２枚のプレートと、支持構造とを含む変形可能な家具を開示している。支持構造は、折りたたみ式ではない。支持構造は、椅子からテーブルへの、またその逆への変形に関係していないため、家具が有する機能は限定され、たとえば積み重ねることができない。
【０００７】
本発明の目的は、機能的に改善され、しかも同時に最も使い勝手がよい変形可能な家具の構造を提供することである。この目的は、各々の独立クレームで明確に示された特徴の組合せによって達成される。本発明の実施態様の特定の利点は、従属クレームで明確に示されている。
【０００８】
発明の概要
本発明の第１の態様では、本目的は、ヒンジ継手によって互いに連結された第１のプレートと第２のプレートとを含む変形可能な家具によって達成され、前記２枚のプレートは、それぞれ第１および第２の水平軸を中心に回転でき、プレートは、それぞれ座面および背もたれとしての第１のポジションから、それぞれ前面パネルおよび作業台としての第２のポジションに、またその逆に動かすことができる。前記プレートは、それぞれ前記第１および第２の水平軸によって、少なくとも３つの相互接続された折りたたみ要素から構成される支持構造に連結される。少なくとも３つの要素を用いることにより、折りたたみ支持構造のより正確な固定が可能になる。
【０００９】
本発明の可能な実施態様では、前記支持構造は、ヒンジ継手によって互いに連結された、３つの相互接続された折りたたみ要素から構成され、ヒンジ継手の少なくとも１つは、相互接続された折りたたみ要素に対してスライドできる。
【００１０】
本発明の別の実施態様では、折りたたみ要素はフレームの形状であり、折りたたみ要素の少なくとも１つは、四角形の閉鎖したフレームの形状であってもよく、一方で、その他２つの要素は、長方形に曲げられたオープンフレームの形状であり、前記フレームの中央部が、第１および第２の水平軸を形成し、第３の要素は、二対のヒンジ継手を用いて、２つの相互接続された折りたたみ要素に接続される。
【００１１】
本発明のさらなる実施態様では、ヒンジ継手の１つにロッキング機構がある。
【００１２】
本発明の別の実施形態では、背もたれまたは作業台として機能するプレートは、前記折りたたみ要素の１つに接合されて、前記要素が折りたたまれたとき、プレートが、その具体的なポジションに依存して、背もたれとしての実質的に曲げられた形状から、作業台としての実質的に平坦である形状に、またその逆に変形可能である。
【００１３】
本発明のさらなる実施態様では、前記第１の軸は、細長い、好ましくは円筒形の曲げ要素の形状であり、水平面状に置かれ、前記第１のプレートは、前記第１の軸に接続された可撓性の平面要素から作成され、作業台ポジションで、前記曲げ要素は、作業台を水平面状に支持することを提供し、一方、背もたれポジションで、前記曲げ要素は、可撓性の平面要素の中央部を引っ張り、曲げ要素の形状に従って、可撓性の平面要素に凹状形状を取らせることができる。
【００１４】
本発明の別の実施態様では、変形可能な家具は、前記３つの内側または外側に接続された折りたたみ要素の少なくとも２つの各ポジションを固定するためのロッキング装置を含んでもよい。
【００１５】
本発明のさらなる実施態様では、前記軸の少なくとも１つは、各プレートにスライド可能に接続されて、前記軸の前記プレートのスライドボルトのポジションの変更を可能にし、また前記ポジションを、別のロッキング装置によって固定することができる。
【００１６】
本発明の別の態様によれば、本目的は、ヒンジ継手によって互いに接続された第１のプレートと第２のプレートとを含む、変形可能な家具によって達成され、前記２枚のプレートは、それぞれ第１および第２の水平軸を中心に回転でき、プレートは、それぞれ座面および背もたれとしての第１のポジションから、それぞれ前面パネルおよび作業台としての第２のポジションに動かすことができ、背もたれおよび作業台として機能する第１のプレートが、その具体的なポジションに依存して、背もたれとしての実質的に曲げられた／凹状の形状から、作業台としての実質的に平坦である形状に、またその逆に変形可能である。
【００１７】
変形可能な家具の好ましい実施態様では、プレートは、背もたれまたは作業台として機能し、前記折りたたみ要素のひとつに取り付けられ、前記要素は、折りたたまれたとき、その具体的なポジションに依存して、背もたれとしての実質的に曲げられた形状から、作業台としての実質的に平坦である形状に、またその逆に変形可能である。
【００１８】
変形可能な家具のさらなる実施態様では、前記第１の軸は、細長い、好ましくは円筒形の、曲げられたセクションを備える要素として形成され、水平面状に置かれ、可撓性の平面要素から作成された前記第１のプレートは、回転できるようにこのセクションに取り付けられ、作業台ポジションで、前記曲げられたセクションは３点支持として機能して作業台を平らに支持し、一方、背もたれポジションで、前記曲げられたセクションは細長い要素の端部に触れる可撓性要素を引っ張り、曲げられたセクションの形状に従って、可撓性の平面要素に凹状形状を取らせる。
【００１９】
別の実施態様では、変形可能な家具は、前記３つの接続された折りたたみ要素の少なくとも２つを、対応する各ポジションに固定するためのロッキング装置をさらに含む。
【００２０】
変形可能な家具のさらなる実施態様では、前記軸の少なくとも１つは、各プレートに取り付けられて、前記プレートの回転点ポジションを、前記軸に対してスライドさせて動かすことができ、前記ポジションを、別のロッキング装置を用いて固定することができる。
【００２１】
好ましい実施態様では、変形可能な家具は、ヒンジ継手によって互いに接続された第１のプレートおよび第２のプレートを含み、前記２枚のプレートは、それぞれ第１および第２の水平軸を中心に回転でき、プレートは、それぞれ座面および背もたれとしての第１のポジションから、それぞれ前面パネルおよび作業台としての第２のポジションに動かすことができ、背もたれおよび作業台として機能する第１のプレートは、その具体的なポジションに依存して、背もたれとしての実質的に凹状な形状から、作業台としての実質的に平坦である形状に、またその逆に変形可能である。
【００２２】
変形可能な家具のさらなる実施態様では、前記第１の軸は、細長い、好ましくは円筒形の、曲げられたセクションを備える要素として形成され、水平面状に置かれ、可撓性の平面要素から作成された前記第１のプレートは、回転できるようにこのセクションに取り付けられ、作業台ポジションで、前記曲げられたセクションは３点支持として機能して作業台を平らに支持し、一方、背もたれポジションで、前記曲げられたセクションは、可撓性要素を引っ張り、前記曲げられたセクションの形状に従って、可撓性要素に凹状形状を取らせる。
【００２３】
変形可能な家具の別の実施態様では、前記第１のプレートは、不均一な（不規則な）変形能力を有する。
【００２４】
変形可能な家具のさらなる実施態様では、継手対の１つは、回転および並進か、または回転のみ可能であり、一方でその他の継手対は回転または並進、またその逆が可能である。
【００２５】
変形可能な家具のさらなる実施態様では、固定装置は、スロット、ロッキング要素およびばね、またはＴ字型のスリップブシュ、ペグ、ばねおよびボタンから構成されるロッキング機構である。
【００２６】
変形可能な家具の好ましい実施態様では、スロット対は、フレームの一方の長手側に長手方向に形成され、スロットは、一方の端で円形の開口になっている一方で、反対の端では湾曲して、支持構造の、非折りたたみ／各折りたたみポジションでのバヨネットロッキング／各アンロッキングを提供する円弧形状のカットアウトとして形成される。
【００２７】
変形可能な家具のさらなる実施態様では、Ｔ字型のスリップブシュ対が、フレームの１つの長手側に配置されて、各フレームの長手側に沿って動き、ペグ、ばねおよびボタンとともに、支持構造の、非折りたたみ／各折りたたみポジションでのロッキング／各アンロッキングを提供することができる。
【００２８】
別の実施態様では、変形可能な家具は、ヒンジ継手によって接続された座面および背もたれを含む。前記座面および背もたれは、第１の水平軸および第２の水平軸を中心にそれぞれ回転することができ、座面および背もたれは、それぞれ座面および背もたれとしての第１のポジションから、それぞれ正面パネルおよび作業台としての第２のポジションに、またその逆に動かすことができる。座面および背もたれは、前記第１および第２の水平軸を用いて支持構造に取り付けられる。支持構造は、少なくとも３つの相互接続された折りたたみ要素から構成される。折りたたみ要素の少なくとも２つが、結合要素を備えたヒンジ継手によって接続される。結合要素は、平面要素、より具体的にはプレートであり、２つの折りたたみ要素の少なくとも１つの上端に固定される。結合要素は、各ヒンジ継手を中心に１８０°まで回転できる。
【００２９】
好ましい実施形態の詳細な説明
図１〜６に示す本発明の第１の実施形態では、変形可能な家具は、取り付けプレート５、６を備える、２つの実質的に平面な要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。この第１の実施形態では、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折りたたまれていないポジションでは、２つの平面要素１７、１８は、図４ａ〜４ｅに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０および２１によってフレーム１、１′に連結される。フレーム１の長手側は、偏平楕円管から作成されるのに対し、フレーム１′および１９のもう一方の側は、円管から作成される。“椅子”ポジションにあるフレーム１９は、アームレストの機能を果たす。ヒンジ継手２０に配置された支持構造のロッキング機構は、一対のスロット、ロッキング要素、およびばねから構成される。スロットは、フレーム１の長手側の対に、長手方向に形成される。スロットは、その下端が円形の開口になっている一方で、反対端ではスロットは急角度に湾曲し、円弧形状のカットアウトとして形成され、支持構造１、１′、１９の非折りたたみポジションでのロッキングを提供している。ロッキングは、ばねによって押されて、スロットの円弧形状の（バヨネット）カットアウトに収まるロッキングボルトであるロッキング要素という形で実施される。アンロッキングは、フレーム１９の上端に圧力を加えることによって実施され、これにより、ばねの作用が抑えられて、引き起こされる。ヒンジ継手２０は、フレーム１および１９に連結し、フレーム１の両側に沿った長手方向の回転および並進を提供する。ヒンジ継手２１は、フレーム１′および１９に連結し、回転を提供する。ヒンジ継手１６は、フレーム１および１′に連結し、回転を提供する。
【００３０】
図７〜１２に示す本発明の第２の実施形態では、変形可能な家具は、取り付けプレート５、６を備える、２つの実質的に平面な要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。この実施形態では、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折りたたまれていないポジションでは、２つの平面要素１７、１８は、図１０ａ〜１０ｅに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′および２１によってフレーム１、１′に連結される。支持構造の３本のフレーム１、１′、１９は、円形断面管から作成される。“椅子”ポジションにあるフレーム１９は、アームレストの機能を果たす。ロッキング機構は、Ｔ字型のスリップブシュ、ペグ、ばねおよびボタンで構成され、フレーム１の長手側のヒンジ継手２０′に配置される。ヒンジ継手２０′は、フレーム１および１９に連結し、フレーム１の両側に沿った長手方向の回転および並進を提供する。ヒンジ継手２１は、フレーム１′および１９に連結し、回転を提供する。ヒンジ継手１６は、フレーム１および１′に連結しており、回転を提供する。
【００３１】
図１３、１４、１５および１６、１７、１８にそれぞれ示す本発明の第３および第４の実施形態では、変形可能な家具は、ヒンジ継手４によって直接連結された２つの実質的に平面な要素１７、１８で構成される。平面要素１７は、人間工学的に曲げられた形状を有し、このことは、家具が椅子から作業台へ、またその逆に変形しても変わらずに維持され、上記の図から明らかである。平面要素１８は、主として、図１３、１４、１６、１７に示される溝１８ａの方向に対して直角である一方向に可撓であり、要素１８は、作業台ポジションから背もたれポジションに移行する際には平面から凹状に、またその逆に背もたれポジションから作業台ポジションに移行する際には凹状から平面に、形状を変化させることができるように作成される。第１の軸２は、細長い、好ましくは円筒形の曲げ要素として形成され、水平面状に置かれ、ここで該第１のプレートは、第１の軸２に連結された可撓性の平面要素１８から作成され、該曲げ要素２は、作業台ポジションで、作業台を水平面状に支持することを提供し、一方、背もたれポジションでは、該曲げ要素２を、該可撓性の平面要素１８の中央部で引っ張ることができ、曲げ要素２の形状に従って、可撓性の平面要素１８に凹状形状を取らせる。平面要素１７および可撓性の平面要素１８はそれぞれ、第１の水平軸２および第２の水平軸３を中心に回転することができる。軸２および３は、各フレーム１、１９の本質的にまっすぐな水平部分である。このように、平面要素１７および可撓性の平面要素１８は、座面および背もたれとしての第１のポジションと、前面パネルおよび作業台としての第２のポジションとの間で動かすことができる。可撓性の平面要素１８が、作業台ポジションから、プレート５′によって引っ張られて背もたれポジションに動くと、第１の水平軸２の中央部２ａは、軸の水平面に曲げられ、このことは、具体的に代表的な実施形態では、リーディングボックスの機能を果たす。ヒンジ継手２０は、フレーム１および１９に連結しており、フレーム１の両側に沿った長手方向の回転および並進を提供する。ヒンジ継手２１は、フレーム１′および１９に連結しており、回転を提供する。ヒンジ継手１６は、フレーム１および１′に連結しており、回転を提供する。
【００３２】
本発明の第４の実施形態では、支持構造は、異なる高さに配置され、２本の横方向の垂直要素１に固定された２本の平行な水平軸２、３を含み、平面要素１７および可撓性の平面要素１８は、上述のように、ヒンジ継手４によって連結され、その軸は、水平軸２、３に平行である。軸２、３は、フレーム１の長手側の対に囲まれた空間内に配置される。フレーム１の長手側の対は、台形の閉鎖したフレームとして作成することができる。同様に、台形、長方形、正方形または楕円形の閉鎖したまたはオープンなフレームとして形成することができる。横方向の垂直要素１は、連続した要素として作成することができる。可撓性の平面要素１８が、作業台ポジションから、可撓性の平面要素１８がプレート５′によって引っ張られる背もたれポジションに動くと、第１の水平軸２の中央部２ａは、軸の水平面に曲げられ、これは、具体的な代表的実施形態では、リーディングボックスの機能を果たす。
【００３３】
図１９〜２３に示す本発明の第５の実施形態では、変形可能な家具は、取り付けプレート５、６を備える、２つの実質的に平面要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。第１の代表的な実施形態で示されたように、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折り畳まれていないポジションでは、２つの平面要素１７、１８は、図２２ａ〜２２ｅに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′′および２１によってフレーム１、１′に連結される。ロッキング機構は、フレーム１および１９を連結するヒンジ継手２１に配置されて、回転を提供する一方で、ヒンジ継手２０′′は、ロッキング機構を用いたフレーム１′の両側での回転および並進を提供する。ロッキング機構は、スロット、ロッキング要素およびばね、またはＴ字型のスリップッブシュ、ペグ、ばねおよびボタンである。フレーム１９の前端は、フレーム１と平行になるまで傾斜し、一方フレーム１′の下端は、ヒンジ継手１６の回転によって、フレーム１と平行なポジションに動く。
【００３４】
図２４〜２８に示す本発明の第６の実施形態では、変形可能な家具は、取り付けプレート５、６を備える、２つの実質的に平面な要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。第１の代表的な実施形態で示されたように、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折りたたまれていないポジションでは、２つの平面要素１７、１８は、図２７ａ〜２７ｊに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′′′および２１によってフレーム１、１′に連結される。ヒンジ継手２１は回転を提供し、一方ヒンジ継手２０′′′は、ロッキング機構を用いたフレーム１９の両側での前方への回転および並進を提供し、ここでフレーム１９の前端は、フレーム１と平行になるまで傾斜し、一方フレーム１′の下端は、ヒンジ継手１６の回転によって、フレーム１と平行なポジションに動く。
【００３５】
図２９〜３３に示す本発明の第７の実施形態では、変形可能な家具は、取り付けプレート５、６を備える、２つの実質的に平面な要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。第１の代表的な実施形態で示されたように、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折り畳まれていないポジションでは、２つの平面要素１７、１８は、図３２ａ〜３２ｊに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′′′′および２１′によってフレーム１、１′に連結される。ヒンジ継手２１′は回転を提供し、一方ヒンジ継手２０′′′′はロッキング機構を用いたフレーム１９の両側での前方への回転および並進を提供し、ここでフレーム１９の前端は、フレーム１と平行になるまで傾斜し、一方フレーム１′の下端は、ヒンジ継手１６の回転によって、フレーム１と平行なポジションに動く。
【００３６】
図３４〜３８に示す本発明の第８の実施形態では、変形可能な家具は、取り付けプレート５、６を備える、２つの実質的に平面な要素１７、１８で構成され、取り付けプレートを用いて、平面要素１７、１８はヒンジ継手４によって接続される。平面要素１７、１８は、図に示すように、平らに配置されるのではなく、人間工学的な形状に曲げられ、それぞれ第１および第２の水平軸２、３を中心に回転することができる。第１の代表的な実施形態で示されたように、２つの軸は、管状フレーム１、１９として図１〜６に最もよく示される２つの折りたたみ要素のまっすぐな水平セクション２、３で構成される。軸２は、第１のプレート１８に取り付けられたプレート５に形成されたスロット７を通過する。スロット７は、軸２を中心にした並進および回転の動きを可能にする。支持構造は、３本の管状フレーム１、１′、１９で構成される。このように、支持構造が折りたたまれていないポジションでは、２つの平面要素１７、１８は、図３８ａ〜３８ｊに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′′′′および２１′′によってフレーム１、１′に連結される。ヒンジ継手２０′′′′は回転を提供し、一方ヒンジ継手２１′′はロッキング機構を用いてフレーム１９の両側での後方への回転および並進を提供し、ここでフレーム１９の前端は、フレーム１と平行になるまで傾斜し、一方でフレーム１′の下端は、ヒンジ継手１６の回転によって、フレーム１と平行なポジションに動く。
【００３７】
図３９〜４３に示す本発明の第９の実施形態では、変形可能な家具は、ヒンジ継手４によって接続される、実質的に平面な要素の座面１７および背もたれ１８、それぞれ前面パネル１７および作業台１８で構成される。座面１７および背もたれ１８は、図に示すように、平らに配置されるのではなく、人間工学的な形状に曲げられ、それぞれ第１および第２の水平軸２、３を中心に回転することができる。第３の代表的な実施形態で示されたように、第１の軸２は、細長い、好ましくは円筒形の曲げ要素として形成され、水平面状に置かれ、ここで該背もたれ１８は、該第１の軸２に連結された可撓性の平面要素であり、該曲げ要素２は、作業台ポジションで、作業台を水平面状に支持することを提供する。平面要素１７および可撓性の平面要素１８はそれぞれ、第１の水平軸２および第２の水平軸３を中心に回転することができる。軸２および３は、各フレーム１、１９の本質的にまっすぐな水平部分である。このように、平面要素１７および可撓性の平面要素１８は、座面および背もたれとしての第１のポジションと、前面パネルおよび作業台としての第２のポジションとの間で動かすことができる。可撓性の平面要素１８が、作業台ポジションから背もたれポジションに動くと、第１の水平軸２の中央部２ａは、軸の水平面に曲げられる。軸２は、平面要素１８上の締結装置を通過する。支持構造は、３本の管状フレーム１、１′、１９で構成される。支持構造が折りたたまれていないポジションでは、２つの平面要素１７、１８は、図４２ａ〜４２ｊに示すように、座面および背もたれとしての第１のポジションと、前面パネルおよび作業台としての第２のポジションとの間で動かすことができる。平面要素１７、１８は、軸２、３を用いて支持構造に取り付けられ、さらに２本のフレーム１、１９は、それらに連結された少なくとも１本以上の第３のフレーム１′を含む。フレーム１９は、二対のヒンジ継手２０′′′′および２１によってフレーム１、１′に連結される。ヒンジ継手２０′′′′および２１は回転を提供する。フレーム１は、二対のヒンジ継手１６′および１６′′ならびにプレート３０を用いてフレーム１′に連結される。ヒンジ継手１６′および１６′′は回転を提供する。支持構造の非折りたたみや、それぞれの折りたたみが実施されるのは、ヒンジ継手１６′および１６′′の回転、およびヒンジ継手２０′′′′、２１の回転によって、プレート３０がフレーム１の上端で１８０°向きをかえるときであり、ここで、中間ポジションにあるフレーム１、１′および１９は、整列して平行になる。
【図面の簡単な説明】
【００３８】
【図１】本発明の変形可能な家具―椅子の一例の斜視図である。
【図２】机に変形させた図１の変形可能な家具―椅子の斜視図である。
【図３】図１の椅子の支持構造の種々の図であって、図３ａは椅子の支持構造の正面図、図３ｂは椅子の支持構造の側面図、図３ｃは椅子の支持構造の平面図、図３ｄは椅子の支持構造の斜視図である。
【図４】本発明の椅子の、椅子から机への変形を示す側面図である（図４ａ〜図４ｊ）。
【図５】本発明の変形可能な家具―椅子の支持構造の斜視図である。
【図６】本発明の変形可能な家具―机の、下からの斜視図である。
【図７】変形可能な家具―椅子の別の例の斜視図である。
【図８】机に変形させた図７の変形可能な家具―椅子の斜視図である。
【図９】図７の椅子の支持構造の種々の図であって、図９ａは椅子の支持構造の正面図、図９ｂは椅子の支持構造の側面図、図９ｃは椅子の支持構造の平面図、図９ｄは椅子の支持構造の斜視図である。
【図１０】本発明の椅子の、椅子から机への変形を示す側面図である（図１０ａ〜図１０ｊ）。
【図１１】本発明の変形可能な家具―椅子の支持構造の斜視図である。
【図１２】本発明の変形可能な家具―机の、下からの斜視図である。
【図１３】本発明の、机ポジションにある変形可能な家具のさらなる例の、下からの斜視図である。
【図１４】本発明の、机ポジションにある図１３の変形可能な家具のさらなる例の、下からの斜視図である。
【図１５】本発明の椅子の、椅子から机への変形を示す側面図である（図１５ａ〜図１５ｊ）。
【図１６】本発明の、机ポジションにある変形可能な家具のさらなる例の、下からの斜視図である。
【図１７】本発明の、机ポジションにある図１６の変形可能な家具の下からの斜視図である。
【図１８】本発明の椅子の、椅子から机への変形を示す側面図である（図１８ａ〜図１８ｊ）。
【図１９】机ポジションにある変形可能な家具のさらなる例の斜視図である。
【図２０】机ポジションにある図１９の変形可能な家具の斜視図である。
【図２１】本発明の、図１９の変形可能な折りたたみ式家具―椅子の支持構造の種々の図を示す。
【図２２】本発明の椅子の、椅子から机への変形を示す側面図である（図２２ａ〜図２２ｊ）。
【図２３】本発明の変形可能な家具―椅子の支持構造の斜視図である。
【図２４】椅子ポジションにある変形可能な家具のさらなる例の斜視図である。
【図２５】机ポジションにある変形可能な家具のさらなる例の斜視図である。
【図２６】机に変形可能な椅子の支持構造の種々の図を示す（図２６ａ〜図２６ｄ）。
【図２７】本発明の椅子の、椅子から机への変形を示す側面図である（図２７ａ〜図２７ｊ）。
【図２８】本発明の、変形可能な折りたたみ式家具―椅子の支持構造の例の斜視図である。
【図２９】本発明の、椅子ポジションにある変形可能な家具のさらなる例の斜視図である。
【図３０】本発明の、机ポジションにある変形可能な家具のさらなる例の斜視図である。
【図３１】机に変形可能な椅子の支持構造の種々の図を示す（図３１ａ〜図３１ｄ）。
【図３２】本発明の椅子の、椅子から机への変形を示す側面図である（図３２ａ〜図３２ｊ）。
【図３３】本発明の、変形可能な折りたたみ式家具―椅子の支持構造の例の斜視図である。
【図３４】本発明の、椅子ポジションにある変形可能な家具のさらなる例の斜視図である。
【図３５】本発明の、机ポジションにある変形可能な家具のさらなる例の斜視図である。
【図３６】本発明の、変形可能な折りたたみ式家具―椅子の支持構造の例の斜視図である。
【図３７】本発明の椅子の、椅子から机への変形を示す側面図である（図３７ａ〜図３７ｊ）。
【図３８】本発明の、変形可能な折りたたみ式家具―椅子の支持構造の例の斜視図である。
【図３９】本発明の、椅子ポジションにある変形可能な家具のさらなる例の斜視図である。
【図４０】本発明の、机ポジションにある変形可能な家具のさらなる例の斜視図である。
【図４１】本発明の、変形可能な折りたたみ式家具―椅子の支持構造の例の斜視図である。
【図４２】本発明の椅子の、椅子から机への変形を示す側面図である（図４２ａ〜図４２ｊ）。
【図４３】本発明の、変形可能な折りたたみ式家具―椅子の支持構造の例の斜視図である。
【図１】
2009526592.tif 000003
【図２】
2009526592.tif 000004
【図３】
2009526592.tif 000005
【図４】
2009526592.tif 000006
【図５】
2009526592.tif 000007
【図６】
2009526592.tif 000008
【図７】
2009526592.tif 000009
【図８】
2009526592.tif 000010
【図９】
2009526592.tif 000011
【図１０】
2009526592.tif 000012
【図１１】
2009526592.tif 000013
【図１２】
2009526592.tif 000014
【図１３】
2009526592.tif 000015
【図１４】
2009526592.tif 000016
【図１５】
2009526592.tif 000017
【図１６】
2009526592.tif 000018
【図１７】
2009526592.tif 000019
【図１８】
2009526592.tif 000020
【図１９】
2009526592.tif 000021
【図２０】
2009526592.tif 000022
【図２１】
2009526592.tif 000023
【図２２】
2009526592.tif 000024
【図２３】
2009526592.tif 000025
【図２４】
2009526592.tif 000026
【図２５】
2009526592.tif 000027
【図２６】
2009526592.tif 000028
【図２７】
2009526592.tif 000029
【図２８】
2009526592.tif 000030
【図２９】
2009526592.tif 000031
【図３０】
2009526592.tif 000032
【図３１】
2009526592.tif 000033
【図３２】
2009526592.tif 000034
【図３３】
2009526592.tif 000035
【図３４】
2009526592.tif 000036
【図３５】
2009526592.tif 000037
【図３６】
2009526592.tif 000038
【図３７】
2009526592.tif 000039
【図３８】
2009526592.tif 000040
【図３９】
2009526592.tif 000041
【図４０】
2009526592.tif 000042
【図４１】
2009526592.tif 000043
【図４２】
2009526592.tif 000044
【図４３】
2009526592.tif 000045
【国際調査報告】
2009526592.tif 000046
2009526592.tif 000047
2009526592.tif 000048